(57)【要約】【課題】  電子機器から機器状態情報を取得できる可能性を高くし、電子機器の保守サービスを円滑に行うことができるようにする。【解決手段】  エージェント部１１１，２１１は、画像形成装置１０１，２０１の状態を示す機器状態情報を、画像形成装置１０１，２０１から取得する。そして、リモートメンテナンスサーバー１は、（ａ）画像形成装置１０１，２０１の稼動スケジュール情報を取得し、（ｂ）サービス端末装置３により指定された機器状態情報の取得指示の送信タイミングが、稼動スケジュール情報に基づく稼働時間外である場合、サービス端末装置３に警告通知を行う。【選択図】  図１
2014174937.tif 000002
【特許請求の範囲】
【請求項１】
電子機器と、
前記電子機器の状態を示す機器状態情報を、前記電子機器から取得するエージェント部と、
前記エージェント部へ前記機器状態情報の取得指示を送信し、前記エージェント部から前記機器状態情報を受信するリモートメンテナンスサーバーと、
前記機器状態情報の取得指示を前記リモートメンテナンスサーバーに出力させるサービス端末装置とを備え、
前記リモートメンテナンスサーバーは、（ａ）前記電子機器の稼動スケジュール情報を取得し、（ｂ）前記サービス端末装置により指定された前記機器状態情報の取得指示の送信タイミングが、前記稼動スケジュール情報に基づく稼働時間外である場合、前記サービス端末装置に警告通知を行うこと、
を特徴とする機器管理システム。
【請求項２】
前記サービス端末装置は、前記リモートメンテナンスサーバーに前記機器状態情報の取得指示を出力し、
前記リモートメンテナンスサーバーは、前記サービス端末装置から前記機器状態情報の取得指示を受け付けると、前記サービス端末装置から前記機器状態情報の取得指示を受け付けた時点が、前記稼動スケジュール情報に基づく稼働時間外である場合、ただちに、前記サービス端末装置に警告通知を行い、前記サービス端末装置から前記機器状態情報の取得指示を受け付けた時点が、前記稼動スケジュール情報に基づく稼働時間内である場合、前記エージェント部へ前記機器状態情報の取得指示を送信すること、
を特徴とする請求項１記載の機器管理システム。
【請求項３】
前記サービス端末装置は、前記機器状態情報の取得指示の送信タイミングを設定するための設定指示を、前記リモートメンテナンスサーバーに出力し、
前記リモートメンテナンスサーバーは、前記サービス端末装置から前記設定指示を受け付けると、前記設定指示により設定される前記送信タイミングが、前記稼動スケジュール情報に基づく稼働時間外である場合、ただちに、前記サービス端末装置に警告通知を行い、前記設定指示により設定される前記送信タイミングが、前記稼動スケジュール情報に基づく稼働時間内である場合、前記送信タイミングを設定し、その送信タイミングになると、前記エージェント部へ前記機器状態情報の取得指示を送信すること、
を特徴とする請求項１記載の機器管理システム。
【請求項４】
前記リモートメンテナンスサーバーは、前記警告通知とともに、前記稼働スケジュール情報を前記サービス端末装置に出力することを特徴とする請求項１から請求項３のうちのいずれか１項記載の機器管理システム。
【請求項５】
前記稼働スケジュール情報は、前記電子機器の電源オン動作および電源オフ動作から自動的に特定される前記電子機器の稼働時間を含むことを特徴とする請求項１から請求項４のうちのいずれか１項記載の機器管理システム。
【請求項６】
前記エージェント部は、前記電子機器、または前記電子機器に接続されている端末装置に内蔵されており、ネットワークを介して前記リモートメンテナンスサーバーとデータ通信することを特徴とする請求項１から請求項５のうちのいずれか１項記載の機器管理システム。
【請求項７】
電子機器の状態を示す機器状態情報を前記電子機器から取得するエージェント部へ前記機器状態情報の取得指示を送信し、前記エージェント部から前記機器状態情報を受信するリモートメンテナンスサーバーによって、前記電子機器の稼動スケジュール情報を取得するステップと、
サービス端末装置により指定された前記機器状態情報の取得指示の送信タイミングが、前記稼動スケジュール情報に基づく稼働時間外である場合、前記リモートメンテナンスサーバーによって、前記サービス端末装置に警告通知を行うステップと、
を備えること特徴とする機器管理方法。
【請求項８】
電子機器の状態を示す機器状態情報を前記電子機器から取得するエージェント部へ前記機器状態情報の取得指示を送信し、前記エージェント部から前記機器状態情報を受信するリモートメンテナンスサーバー内のコンピューターに、
前記電子機器の稼動スケジュール情報を取得するステップと、
サービス端末装置により指定された前記機器状態情報の取得指示の送信タイミングが、前記稼動スケジュール情報に基づく稼働時間外である場合、前記リモートメンテナンスサーバーによって、前記サービス端末装置に警告通知を行うステップと、
を実行させる機器管理プログラム。
【発明の詳細な説明】
【技術分野】
【０００１】
本発明は、機器管理システム、機器管理方法、および機器管理プログラムに関するものである。
【背景技術】
【０００２】
ある遠隔監視システムでは、画像形成装置内で発生した通報情報が、ローカルネットワークを介して監視装置へ送信され、監視装置は、その通報情報を画像形成装置ごとに蓄積し、蓄積した通報情報を、ネットワークを介して監視センターへ送信している（例えば特許文献１参照）。
【先行技術文献】
【特許文献】
【０００３】
【特許文献１】特開２００４−２２７１０４号公報
【発明の概要】
【発明が解決しようとする課題】
【０００４】
センター側では、サービスパーソンが、ユーザーサポートなどの保守サービスのために、保守対象となる電子機器（例えば画像形成装置）の機器管理に使用する機器状態情報を取得したいときがある。
【０００５】
しかしながら、センター側から、保守対象となる電子機器（例えば画像形成装置）へ機器状態情報の送信要求を送信しても、電子機器の電源オフなどの何らかの原因で、機器状態情報が送信されて来ず、機器状態情報の取得に失敗することがある。
【０００６】
サービスパーソンにより取得タイミングを事前に設定しておき、その取得タイミングで指示機器状態情報の送信要求を送信する場合、機器状態情報の取得に失敗すると、センター側のサービスパーソンは、予定していた取得タイミングにおいて、機器状態情報を閲覧することができず、電子機器の保守サービスを円滑に行うことが困難になってしまう。
【０００７】
また、サービスパーソンの指示でただちに機器状態情報の送信要求を送信した後、タイムアウトするまで、サービスパーソンは、機器状態情報の取得に失敗したことを知ることができず、機器状態情報の取得を判定するまでに時間がかかってしまい、電子機器の保守サービスを円滑に行うことが困難になってしまう。
【０００８】
本発明は、上記の問題に鑑みてなされたものであり、電子機器の保守サービスを円滑に行うことができるようにする機器管理システム、機器管理方法、および機器管理プログラムを得ることを目的とする。
【課題を解決するための手段】
【０００９】
本発明に係る機器管理システムは、電子機器と、前記電子機器の状態を示す機器状態情報を、前記電子機器から取得するエージェント部と、前記エージェント部へ前記機器状態情報の取得指示を送信し、前記エージェント部から前記機器状態情報を受信するリモートメンテナンスサーバーと、前記機器状態情報の取得指示を前記リモートメンテナンスサーバーに出力させるサービス端末装置とを備える。そして、前記リモートメンテナンスサーバーは、（ａ）前記電子機器の稼動スケジュール情報を取得し、（ｂ）前記サービス端末装置により指定された前記機器状態情報の取得指示の送信タイミングが、前記稼動スケジュール情報に基づく稼働時間外である場合、前記サービス端末装置に警告通知を行う。
【００１０】
本発明に係る機器管理方法は、電子機器の状態を示す機器状態情報を前記電子機器から取得するエージェント部へ前記機器状態情報の取得指示を送信し、前記エージェント部から前記機器状態情報を受信するリモートメンテナンスサーバーによって、前記電子機器の稼動スケジュール情報を取得するステップと、サービス端末装置により指定された前記機器状態情報の取得指示の送信タイミングが、前記稼動スケジュール情報に基づく稼働時間外である場合、前記リモートメンテナンスサーバーによって、前記サービス端末装置に警告通知を行うステップとを備える。
【００１１】
本発明に係る機器管理プログラムは、電子機器の状態を示す機器状態情報を前記電子機器から取得するエージェント部へ前記機器状態情報の取得指示を送信し、前記エージェント部から前記機器状態情報を受信するリモートメンテナンスサーバー内のコンピューターに、前記電子機器の稼動スケジュール情報を取得するステップと、サービス端末装置により指定された前記機器状態情報の取得指示の送信タイミングが、前記稼動スケジュール情報に基づく稼働時間外である場合、前記リモートメンテナンスサーバーによって、前記サービス端末装置に警告通知を行うステップとを実行させる。
【発明の効果】
【００１２】
本発明によれば、電子機器の保守サービスを円滑に行うことができるようになる。
【図面の簡単な説明】
【００１３】
【図１】図１は、本発明の実施の形態に係る機器管理システムの構成を示すブロック図である。
【図２】図２は、図１における画像形成装置１０１，２０１，３０１の基本的な構成を説明するブロック図である。
【図３】図３は、図１におけるリモートメンテナンスサーバー１の構成を示すブロック図である。リモートメンテナンスサーバー１は、通信部３１、および演算処理部３２を有する。
【図４】図４は、実施の形態１における機器管理の処理について説明するシーケンス図である（１／３）。
【図５】図５は、実施の形態１における機器管理の処理について説明するシーケンス図である（２／３）。
【図６】図６は、実施の形態１における機器管理の処理について説明するシーケンス図である（３／３）。
【図７】図７は、実施の形態２における機器管理の処理について説明するシーケンス図である（１／２）。
【図８】図８は、実施の形態２における機器管理の処理について説明するシーケンス図である（２／２）。
【発明を実施するための形態】
【００１４】
以下、図に基づいて本発明の実施の形態を説明する。
【００１５】
実施の形態１．
【００１６】
図１は、本発明の実施の形態に係る機器管理システムの構成を示すブロック図である。図１に示すシステムでは、複数の画像形成装置１０１，２０１，３０１が、保守サービスのそれぞれの顧客側に設置されている。保守サービス提供者側には、リモートメンテナンスサーバー１が設置されている。リモートメンテナンスサーバー１は、保守サービスのために、複数の画像形成装置１０１，２０１，３０１から機器状態情報を取得する。
【００１７】
リモートメンテナンスサーバー１は、ネットワーク２に接続されている。また、画像形成装置１０１は、ネットワーク２に接続されており、画像形成装置２０１は、ネットワーク２に接続されている端末装置２０２に接続されており、画像形成装置３０１は、ネットワーク２に接続されておらず、スタンドアローンとなっている。ただし、画像形成装置３０１の近傍には、近距離無線通信で画像形成装置３０１と無線通信可能なモバイル端末装置３０２が存在し、モバイル端末装置３０２は、ネットワーク２に無線接続可能である。このモバイル端末装置３０２は、顧客サイトに訪問するフィールドサービスパーソンが携帯しているものである。
【００１８】
ネットワーク２に接続可能な画像形成装置１０１、端末装置２０２、およびモバイル端末装置３０２は、それぞれ、エージェント部１１１，２１１，３１１を有する。エージェント部１１１，２１１，３１１は、それぞれ、画像形成装置１０１，２０１，３０１の現時点の状態を示す機器状態情報を取得し、ネットワーク２を介してリモートメンテナンスサーバー１へ送信する機能（スナップショット機能）を有する。
【００１９】
この機器状態情報は、イベントログ、装置内の消耗品（トナー、ドラムなど）の状態、各種カウンター情報などを含む。
【００２０】
リモートメンテナンスサーバー１には、サービス端末装置３が接続される。サービス端末装置３は、例えば保守サービス提供者側のサービスセンターなどに設置され、遠隔のセンター内のサービスパーソンにより使用され、そのサービスパーソンによる操作に従って、サービス端末装置３からリモートメンテナンスサーバー１へ、機器状態情報の取得指示、取得された機器状態情報の送信要求などが出力される。
【００２１】
また、上述のエージェント部１１１，２１１は、リモートメンテナンスサーバー１からのメッセージ表示指示に基づいて、画像形成装置１０１，２０２の操作パネルに、メッセージ画面を表示させる機能（デジタルノート機能）も有する。そして、センター内のサービスパーソンによる操作に従って、サービス端末装置３からリモートメンテナンスサーバー１へ、メッセージ表示指示などが送信される。
【００２２】
図２は、図１における画像形成装置１０１，２０１，３０１の基本的な構成を説明するブロック図である。
【００２３】
画像形成装置１０１，２０１，３０１は、電子機器であって、ここでは、複合機である。
【００２４】
画像形成装置１０１，２０１，３０１は、操作パネル１１、印刷装置１２、画像読取装置１３、ファクシミリ装置１４、通信装置１５、および制御装置１６を備える。
【００２５】
操作パネル１１は、画像形成装置１０１，２０１，３０１の筺体上面側に配置され、ユーザーに対して画面を表示する表示装置２１およびそのユーザーによる操作を受け付ける入力装置２２を有する。表示装置２１は、液晶ディスプレイなどである。また、入力装置２２は、ハードキー、表示装置２１とともにソフトキーを実現するタッチパネルなどである。
【００２６】
印刷装置１２は、画像データに基づく画像を例えば電子写真方式で印刷する内部装置である。画像読取装置１３は、原稿から原稿画像を光学的に読み取り、その原稿画像の画像データを生成する内部装置である。ファクシミリ装置１４は、原稿画像のファクシミリ信号を送信したり、ファクシミリ信号を受信してファクシミリ信号から原稿画像の画像データを生成する内部装置である。通信装置１５は、ネットワークインターフェイス、モデム、例えばＵＳＢ（Universal Serial Bus）といった周辺機器インターフェイス、例えばブルートゥース（商標）といった近距離無線通信インターフェイスなどである。
【００２７】
制御装置１６は、コンピューターを有し、図示せぬ記憶装置または記録媒体からメッセージ表示制御プログラムをロードし、そのメッセージ表示制御プログラムをコンピューターで実行して、各種処理部を実現する。制御装置１６では、表示制御部２３および機器設定部２４が実現される。
【００２８】
表示制御部２３は、操作パネル１１の表示装置２１の画面表示を制御する。
【００２９】
機器設定部２４は、例えば操作パネル１１に対するユーザー操作より指定された設定値を、各種設定項目に設定する。
【００３０】
例えば、機器設定部２４は、ユーザー操作に基づいて、画像形成装置１０１，２０１，３０１の稼動スケジュール情報を新たに設定したり変更したりする。稼動スケジュール情報としては、ウィークリータイマー設定、カレンダー設定、夜間出力禁止設定などがある。ウィークリータイマー設定では、曜日や時間帯ごとに電源のオン／オフが設定される。カレンダー設定では、日にち単位で電源のオン／オフが設定される。夜間出力禁止設定では、夜間の稼動停止時間帯が設定される。
【００３１】
なお、画像形成装置１０１の場合、図示していないが、制御装置１６においてエージェント部１１１が実現される。また、エージェント部１１１，２１１，３１１は、各装置１０１，２０２，３０２内のコンピューターによりプログラムが実行されることで実現される。
【００３２】
図３は、図１におけるリモートメンテナンスサーバー１の構成を示すブロック図である。リモートメンテナンスサーバー１は、通信部３１、および演算処理部３２を有する。
【００３３】
通信部３１は、サービス端末装置３との間でデータ通信を行う通信回路と、ネットワーク２を介してデータ通信を行う通信回路とを有する。
【００３４】
演算処理部３２は、コンピューターを有し、図示せぬ記憶装置または記録媒体からＲＡＭ（Random Access Memory）へ機器管理プログラムをロードし、その機器管理プログラムをＣＰＵ（Central Processing Unit）で実行することで、各種処理部を実現する。演算処理部３２では、通信処理部４１、データ管理部４２、およびスケジュール管理部４３が実現される。
【００３５】
通信処理部４１は、通信部３１を使用して、サービス端末装置３との間でデータ通信を行うとともに、ネットワーク２を介してエージェント部１１１，２１１，３１１との間でデータ通信を行う。
【００３６】
データ管理部４２は、エージェント部１１１，２１１，３１１から受信された機器状態情報を図示せぬ記憶装置、データベースなどに保存する。
【００３７】
スケジュール管理部４３は、機器状態情報の取得対象となる画像形成装置１０１，２０１に対応するエージェント部１１１，２１１へ機器状態情報の取得指示を送信し、機器状態情報の取得に成功した場合、通信部３１および通信処理部４１で、エージェント部１１１，２１１から機器状態情報を受信する。
【００３８】
なお、受信された機器状態情報は、データ管理部４２により、画像形成装置の識別情報などに関連付けられて保存され、データ管理部４２は、保守サービス提供者側のサービス端末装置３からの要求に応じて、機器状態情報をサービス端末装置３へ送信する。
【００３９】
スケジュール管理部４３は、（ａ）画像形成装置１０１，２０１の稼動スケジュール情報を取得し、（ｂ）サービス端末装置３により指定された機器状態情報の取得指示の送信タイミングが、その稼動スケジュール情報に基づく稼働時間外である場合、サービス端末装置３に警告通知を行う。
【００４０】
実施の形態１では、スケジュール管理部４３は、サービス端末装置３から、取得指示の送信タイミング設定指示を受け付けると、設定指示により設定される送信タイミングが、稼動スケジュール情報に基づく稼働時間外である場合、ただちに、サービス端末装置３に警告通知を行い、その設定指示により設定される送信タイミングが、稼動スケジュール情報に基づく稼働時間内である場合、図示せぬタイマーでその送信タイミングを設定し、その送信タイミングになると、エージェント部１１１，２１１へ機器状態情報の取得指示を送信する。
【００４１】
また、スケジュール管理部４３は、警告通知とともに、稼働スケジュール情報をサービス端末装置３に出力する。サービス端末装置３は、その警告通知とともに、その稼働スケジュール情報をサービスパーソンに対して表示する。
【００４２】
なお、稼動スケジュール情報には、各画像形成装置１０１，２０１が使用されている組織の稼働日カレンダー情報を含むようにしてもよい。そのような稼働日カレンダー情報は、各画像形成装置１０１，２０１の管理者が、画像形成装置１０１，２０１へインポートしてもよいし、スケジュール管理部４３が、ネットワーク２を介して図示せぬ各組織のサーバーなどからダウンロードしてもよい。また、稼働スケジュール情報には、各画像形成装置１０１，２０１のイベントログに基づき、電源オン動作および電源オフ動作から自動的に特定される稼働時間を含むようにしてもよい。
【００４３】
次に、実施の形態１における機器管理の処理について説明する。
【００４４】
図４、図５および図６は、実施の形態１における機器管理の処理について説明するシーケンス図である。ここでは、エージェント部１１１を使用した画像形成装置１０１の管理について説明するが、画像形成装置２０１についても、エージェント部２１１を使用して同様の管理を行うことができる。
【００４５】
エンドユーザーが画像形成装置１０１の操作パネル１１を操作して、稼動スケジュールを新たに設定したり変更したりするために、稼動スケジュール情報を入力すると、機器設定部２４は、その稼動スケジュールを機器設定として画像形成装置１０１に登録する（ステップＳ１）。そして、機器設定部２４は、稼動スケジュールに関する機器設定の登録するときに、稼動スケジュールに関する機器設定の追加および／または変更が発生したことを示すイベント通知をエージェント部１１１に出力する（ステップＳ２）。
【００４６】
エージェント部１１１は、そのイベント通知を受け付けると、通信装置１５を使用して、ネットワーク２を介して、リモートメンテナンスサーバー１へ、そのイベント通知を送信する（ステップＳ３）。
【００４７】
リモートメンテナンスサーバー１では、スケジュール管理部４３が、通信処理部４１および通信部３１を使用して、そのイベント通知を受信すると、そのイベント通知の送信元であるエージェント部１１１に対して、稼動スケジュール情報要求を送信する（ステップＳ４）。
【００４８】
エージェント部１１１は、その要求を受信すると、機器設定部２４から、稼動スケジュールに関する機器設定を取得し（ステップＳ６）、稼動スケジュール情報として、通信装置１５を使用して、ネットワーク２を介して、リモートメンテナンスサーバー１へ送信する（ステップＳ７）。
【００４９】
リモートメンテナンスサーバー１では、スケジュール管理部４３が、通信処理部４１および通信部３１を使用して、その稼動スケジュール情報を受信すると、画像形成装置１０１の識別情報に関連付けて保存する（ステップＳ８）。
【００５０】
このように、画像形成装置１０１の稼動スケジュールが追加または変更されるたびに、リモートメンテナンスサーバー１におけるスケジュール管理部４３が保存する、画像形成装置１０１の稼動スケジュール情報が更新される。
【００５１】
他方、サービスパーソンが、画像形成装置１０１の機器状態情報の取得タイミングの設定指示のための操作をサービス端末装置３に対して行うと、サービス端末装置３は、その操作を検出し（ステップＳ２１）、画像形成装置１０１の機器状態情報の取得タイミングの設定指示をリモートメンテナンスサーバー１へ出力する（ステップＳ２２）。
【００５２】
リモートメンテナンスサーバー１では、スケジュール管理部４３が、通信処理部４１および通信部３１を使用して、その設定指示を受け付けると、ただちに、画像形成装置１０１の稼働スケジュール情報を参照し、その設定指示により指定されている取得タイミングが、稼働スケジュール情報に基づく稼働時間内であるか否かを判定する。
【００５３】
そして、図４に示すように、スケジュール管理部４３が、その取得タイミングが、画像形成装置１０１の稼働スケジュール情報に基づく稼働時間内であると判定した場合（ステップＳ２３）、その取得タイミングを図示せぬタイマーにセットし（ステップＳ２４）、セットした取得タイミングを示す設定完了通知を、サービス端末装置３に出力する（ステップＳ２５）。サービス端末装置３は、その設定完了通知を受け付けると、設定完了メッセージおよびセットした取得タイミングをサービスパーソンに対して表示する。
【００５４】
その後、スケジュール管理部４３は、タイマーによって取得タイミングの到来を検出すると（ステップＳ４１）、エージェント部１１１に対して機器状態情報の取得指示を送信する（ステップＳ４２）。
【００５５】
この場合、その取得タイミングが、画像形成装置１０１の稼働スケジュール情報に基づく稼働時間内であるので、機器状態情報の取得に成功する可能性が高い。エージェント部１１１が、画像形成装置１０１の機器状態情報の取得に成功した場合（ステップＳ４３）、その機器状態情報をリモートメンテナンスサーバー１へ送信する（ステップＳ４４）。
【００５６】
リモートメンテナンスサーバー１では、その機器状態情報が受信されると、データ管理部４２は、その機器状態情報を保存し（ステップＳ４５）、その後、サービスパーソンの操作するサービス端末装置３からの閲覧要求に応じて、その機器状態情報をサービス端末装置３に出力する（ステップＳ４６）。サービス端末装置３は、その機器状態情報を受け付けると、サービスパーソンに対して表示する。
【００５７】
一方、図５および図６に示すように、スケジュール管理部４３が、その取得タイミングが、画像形成装置１０１の稼働スケジュール情報に基づく稼働時間外であると判定した場合（ステップＳ５１）、その取得タイミングをタイマーにセットせずに、設定拒否および指定された取得タイミングが稼働時間外であることを示す警告通知を、サービス端末装置３に出力する（ステップＳ５２）。サービス端末装置３は、その警告通知を受け付けると、警告メッセージをサービスパーソンに表示する（ステップＳ５３）。
【００５８】
そして、そのサービスパーソンは、取得タイミングの設定の断念、取得タイミングの再設定、および元の取得タイミングの強制設定という３つの選択肢のいずれかを選択する。
【００５９】
そのサービスパーソンは、取得タイミングの再設定を選択した場合、別の取得タイミングの入力操作を再度行う。その場合、図５に示すように、サービス端末装置３は、その操作を検出すると（ステップＳ５４）、画像形成装置１０１の機器状態情報の取得タイミングの設定指示をリモートメンテナンスサーバー１へ出力する（ステップＳ５５）。
【００６０】
また、そのサービスパーソンは、元の取得タイミングの強制設定を選択した場合、強制設定指示操作を行う。その場合、図６に示すように、サービス端末装置３は、その操作を検出すると（ステップＳ６１）、強制設定指示操作をリモートメンテナンスサーバー１へ出力する（ステップＳ６２）。リモートメンテナンスサーバー１では、スケジュール管理部４３は、その強制設定指示操作を受け付けると、稼働時間外である、設定指示により指定された取得タイミングをタイマーにセットし（ステップＳ２４）、セットした取得タイミングを示す設定完了通知を、サービス端末装置３に出力する（ステップＳ２５）。サービス端末装置３は、その設定完了通知を受け付けると、設定完了メッセージおよびセットした取得タイミングをサービスパーソンに表示する。
【００６１】
以上のように、上記実施の形態１によれば、エージェント部１１１，２１１は、画像形成装置１０１，２０１の状態を示す機器状態情報を、画像形成装置１０１，２０１から取得する。そして、リモートメンテナンスサーバー１は、（ａ）画像形成装置１０１，２０１の稼動スケジュール情報を取得し、（ｂ）サービス端末装置３により指定された機器状態情報の取得指示の送信タイミングが、稼動スケジュール情報に基づく稼働時間外である場合、サービス端末装置３に警告通知を行う。
【００６２】
これにより、保守サービス提供者側により指定されたタイミングで画像形成装置１０１，２０１から機器状態情報を取得できる可能性が高くなり、画像形成装置１０１，２０１の保守サービスを円滑に行うことができるようになる。
【００６３】
実施の形態２．
【００６４】
実施の形態１では、サービスパーソンの操作するサービス端末装置３によって、機器状態情報の取得タイミングがリモートメンテナンスサーバー１に設定されるが、実施の形態２では、リモートメンテナンスサーバー１は、サービスパーソンの操作するサービス端末装置３からの機器状態情報の取得指示に応じて、その時点で機器状態情報の取得指示をエージェント部１１１，２１１へ送信する。
【００６５】
実施の形態２に係る機器管理システムの基本的な構成は、実施の形態１に係る機器管理システムと同一である。ただし、実施の形態２におけるリモートメンテナンスサーバー１およびサービス端末装置３は、以下のように動作する。
【００６６】
実施の形態２では、スケジュール管理部４３は、サービス端末装置３から機器状態情報の取得指示を受け付けると、サービス端末装置３から機器状態情報の取得指示を受け付けた時点が、稼動スケジュール情報に基づく稼働時間外である場合、ただちに、サービス端末装置３に警告通知を行い、その時点が、稼動スケジュール情報に基づく稼働時間内である場合、エージェント部１１１，２１１へ機器状態情報の取得指示を送信する。
【００６７】
次に、実施の形態２に機器管理の処理について説明する。
【００６８】
図７および図８は、実施の形態２における機器管理の処理について説明するシーケンス図である。ここでは、エージェント部１１１を使用した画像形成装置１０１の管理について説明するが、画像形成装置２０１についても、エージェント部２１１を使用して同様の管理を行うことができる。
【００６９】
実施の形態２に係るシステムでも、実施の形態１と同様に画像形成装置１０１の稼働スケジュール情報がリモートメンテナンスサーバー１に登録される（ステップＳ１〜Ｓ８）。
【００７０】
他方、サービスパーソンが、画像形成装置１０１の機器状態情報の取得指示操作をサービス端末装置３に対して行うと、サービス端末装置３は、その操作を検出し（ステップＳ８１）、画像形成装置１０１の機器状態情報の取得指示をリモートメンテナンスサーバー１へ出力する（ステップＳ８２）。
【００７１】
リモートメンテナンスサーバー１では、スケジュール管理部４３が、通信処理部４１および通信部３１を使用して、その取得指示を受け付けると、ただちに、画像形成装置１０１の稼働スケジュール情報を参照し、現時点が稼働スケジュール情報に基づく稼働時間内であるか否かを判定する。
【００７２】
そして、図７に示すように、スケジュール管理部４３が、現時点が、画像形成装置１０１の稼働スケジュール情報に基づく稼働時間内であると判定した場合（ステップＳ８３）、エージェント部１１１に対して機器状態情報の取得指示を送信する（ステップＳ８４）。
【００７３】
この場合、この取得タイミングは、画像形成装置１０１の稼働スケジュール情報に基づく稼働時間内であるので、機器状態情報の取得に成功する可能性が高い。エージェント部１１１が、画像形成装置１０１の機器状態情報の取得に成功した場合（ステップＳ８５）、その機器状態情報をリモートメンテナンスサーバー１へ送信する（ステップＳ８６）。
【００７４】
リモートメンテナンスサーバー１では、その機器状態情報が受信されると、データ管理部４２は、その機器状態情報を保存し（ステップＳ８７）、その後、サービスパーソンの操作するサービス端末装置３からの閲覧要求に応じて、その機器状態情報をサービス端末装置３に出力する（ステップＳ８８）。サービス端末装置３は、その機器状態情報を受け付けると、サービスパーソンに表示する。
【００７５】
一方、図８に示すように、スケジュール管理部４３が、現時点が、画像形成装置１０１の稼働スケジュール情報に基づく稼働時間外であると判定した場合（ステップＳ９１）、取得指示を送信せずに、送信拒否および現時点が稼働時間外であることを示す警告通知を、サービス端末装置３に出力する（ステップＳ９２）。サービス端末装置３は、その警告通知を受け付けると、警告メッセージをサービスパーソンに対して表示する（ステップＳ９３）。
【００７６】
そして、そのサービスパーソンは、現時点での取得の断念、および現時点での強制取得という２つの選択肢のいずれかを選択する。
【００７７】
そのサービスパーソンは、現時点での強制取得を選択した場合、強制取得指示操作を行う。その場合、図８に示すように、サービス端末装置３は、その操作を検出すると（ステップＳ９４）、強制設定指示操作をリモートメンテナンスサーバー１へ出力する（ステップＳ９５）。
【００７８】
リモートメンテナンスサーバー１では、スケジュール管理部４３は、その強制取得操作を受け付けると、エージェント部１１１に対して機器状態情報の取得指示を送信する（ステップＳ９６）。この場合、取得失敗の可能性が高いが、エージェント部１１１から機器状態情報が受信されたときには、データ管理部４２は、その機器状態情報を保存し、その後、サービスパーソンの操作するサービス端末装置３からの閲覧要求に応じて、その機器状態情報をサービス端末装置３に出力する。サービス端末装置３は、その機器状態情報を受け付けると、サービスパーソンに対して表示する。
【００７９】
以上のように、上記実施の形態２によれば、エージェント部１１１，２１１は、画像形成装置１０１，２０１の状態を示す機器状態情報を、画像形成装置１０１，２０１から取得する。そして、リモートメンテナンスサーバー１は、（ａ）画像形成装置１０１，２０１の稼動スケジュール情報を取得し、（ｂ）サービス端末装置３により指定された機器状態情報の取得指示の送信タイミング（実施の形態２では、サービス端末装置３から取得指示を受け付けた時点）が、稼動スケジュール情報に基づく稼働時間外である場合、サービス端末装置３に警告通知を行う。
【００８０】
これにより、画像形成装置１０１，２０１から機器状態情報を取得できる可能性が高くなり、画像形成装置１０１，２０１の保守サービスを円滑に行うことができるようになる。
【００８１】
なお、上述の各実施の形態は、本発明の好適な例であるが、本発明は、これらに限定されるものではなく、本発明の要旨を逸脱しない範囲において、種々の変形、変更が可能である。
【００８２】
例えば、上記実施の形態１，２において、エージェント部１１１，２１１が稼動スケジュールに関する機器設定の追加および／または変更が発生するたびにイベント通知を送信せずに、リモートメンテナンスサーバー１が、ポーリングなどで、エージェント部１１１，２１１から、稼動スケジュールに関する機器設定の追加および／または変更が発生したか否かを問い合わせるようにしてもよい。
【産業上の利用可能性】
【００８３】
本発明は、例えば、複数の画像形成装置の遠隔管理に適用可能である。
【符号の説明】
【００８４】
１  リモートメンテナンスサーバー
２  ネットワーク
３  サービス端末装置
１０１，２０１  画像形成装置（電子機器の例）
１１１，２１１  エージェント部
２０２  端末装置
【図１】
2014174937.tif 000003
【図２】
2014174937.tif 000004
【図３】
2014174937.tif 000005
【図４】
2014174937.tif 000006
【図５】
2014174937.tif 000007
【図６】
2014174937.tif 000008
【図７】
2014174937.tif 000009
【図８】
2014174937.tif 000010